(57)【要約】【課題】発光領域内の複数の発光部のパターンと複数の発光部からの光によって透光部材に映る光のパターンとによって生じ得るモアレを目立たなくさせる。【解決手段】複数の発光部１４２は、第１色で発光する。つまり、発光領域１４０からは単一の光（第１色の光）が発せられる。発光領域１４０のパターンでは、複数の透光部１４４の幅が発光領域１４０内の位置によって異なっている。特に、第１幅を有する透光部１４４（第１透光部）と第１幅よりも広い第２幅を有する透光部１４４（第２透光部）が交互に並んでいる。このようにして、複数の発光部１４２及び複数の透光部１４４の配列方向において、複数の透光部１４４の幅が周期的に変化している。【選択図】図８
2019033237.tif 000002
【特許請求の範囲】
【請求項１】
隣り合う第１発光部及び第２発光部を含み、第１色で発光する複数の発光部と、前記第１発光部と前記第２発光部の間に位置する第１透光部及び前記第２発光部の前記第１透光部と反対側に位置する第２透光部と含み、隣り合う前記発光部の間に位置する複数の透光部と、を有する発光領域と、
前記発光領域の発光面側に、前記発光領域から離間して位置する透光部材と、
を備え、
前記第１発光部と前記第２発光部は互いに異なる幅を有し、又は前記第１透光部と前記第２透光部は互いに異なる幅を有する発光装置。
【請求項２】
請求項１に記載の発光装置において、
前記複数の発光部及び前記複数の透光部の配列方向において、前記複数の発光部の幅が周期的に変化している発光装置。
【請求項３】
請求項１に記載の発光装置において、
前記複数の発光部及び前記複数の透光部の配列方向において、前記複数の透光部の幅が周期的に変化している発光装置。
【請求項４】
請求項３に記載の発光装置において、
前記複数の発光部の幅が互いに実質的に同一である発光装置。
【請求項５】
請求項３に記載の発光装置において、
前記第１透光部は、第１幅を有し、
前記第２透光部は、前記第１幅よりも広い第２幅を有し、
前記発光領域は、交互に並ぶ前記第１透光部及び前記第２透光部を有する発光装置。
【請求項６】
請求項３に記載の発光装置において、
前記複数の透光部は、前記第１透光部の反対側に前記第２透光部と隣り合う第３透光部を含み、
前記第１透光部は、第１幅を有し、
前記第２透光部は、前記第１幅よりも狭い第２幅を有し、
前記第３透光部は、前記第１幅よりも広い第３幅を有する発光装置。
【請求項７】
請求項２に記載の発光装置において、
前記複数の発光部のそれぞれは、透光性の第１電極、有機層及び遮光性の第２電極を含む積層構造からなり、
前記第１発光部の幅は、前記第２発光部よりも狭く、
前記第１発光部における前記第２電極の端部は、前記第１発光部の端部から第１距離だけ外側に位置しており、
前記第２発光部における前記第２電極の端部は、前記第２発光部の端部から、前記第１距離よりも小さい第２距離だけ外側に位置している発光装置。
【請求項８】
請求項２に記載の発光装置において、
前記複数の発光部のそれぞれは、透光性の第１電極、有機層及び遮光性の第２電極を含む積層構造からなり、
前記複数の発光部のそれぞれにおいて、前記第２電極の端部は、前記発光部の端部から実質的に等しい距離だけ外側に位置している発光装置。
【請求項９】
請求項１から８までのいずれか一項に記載の発光装置において、
前記複数の発光部は、ストライプ状に並んでいる発光装置。
【発明の詳細な説明】
【技術分野】
【０００１】
本発明は、発光装置に関する。
【背景技術】
【０００２】
近年、発光装置として有機発光ダイオード（ＯＬＥＤ）が開発されている。ＯＬＥＤは、第１電極、有機層及び第２電極を有しており、有機層は、第１電極と第２電極の間の電圧によって有機エレクトロルミネッセンス（ＥＬ）により光を発することができる。
【０００３】
特許文献１及び２には、ＯＬＥＤを自動車のリアガラスに貼り付けて、ＯＬＥＤを自動車の標識灯として用いることについて記載されている。特に特許文献１には、ＯＬＥＤが透光性を有することについて記載されている。具体的には、特許文献１では、光反射性をそれぞれ有する複数の第２電極がストライプ状に並べられている。したがって、ＯＬＥＤの外部からの光は、隣り合う第２電極の間を透過することができる。このようにして、ＯＬＥＤが透光性を有している。
【０００４】
特許文献３には、複数の画素を有するＯＬＥＤについて記載されている。各画素は、赤発光部、緑発光部及び青発光部を有している。各発光部の面積は、赤発光部、緑発光部及び青発光部の順で小さくなっている。特に、各発光部の面積は、赤発光部、緑発光部及び青発光部を電気的に並列に接続したとき、赤発光部、緑発光部及び青発光部のそれぞれの輝度がほぼ一定になるように決定されている。
【０００５】
特許文献４には、補助配線を有するＯＬＥＤについて記載されている。補助配線は、第１電極上で延伸しており、絶縁層によって覆われている。絶縁層は、有機層によって覆われており、第１電極と第２電極の短絡を防止するために設けられている。絶縁層の幅は、発光領域内の位置によって異なっている。
【０００６】
特許文献５には、タッチパネルについて記載されている。タッチパネルは、ディスプレイ（例えば、液晶ディスプレイ（ＬＣＤ）又はＯＬＥＤディスプレイ）及び複数の透明電極を有している。複数の透明電極は、ディスプレイの発光面側に位置しており、ストライプ状に並べられている。特許文献５には、ディスプレイの画素パターンと複数の透明電極のパターンによってモアレが生じることについて記載されている。
【先行技術文献】
【特許文献】
【０００７】
【特許文献１】特開２０１５−１９５１７３号公報
【特許文献２】特開２０１５−７６２９４号公報
【特許文献３】特開２００３−７７６６３号公報
【特許文献４】特開２０１６−４６００１号公報
【特許文献５】特開２０１４−６３２４８号公報
【発明の概要】
【発明が解決しようとする課題】
【０００８】
本発明者は、交互に並ぶ発光部及び透光部を含む発光領域を、様々な発光システム、特に自動車のハイマウントストップランプ（ＨＭＳＬ）に用いることについて検討した。特に本発明者は、発光領域の発光面側に、発光領域から離間して透光部材を配置して、発光領域を透光部材によって保護することを検討した。しかしながら、この発光領域を透光部材の反対側から見ると、発光領域内の複数の発光部のパターンと複数の発光部からの光によって透光部材に映る光のパターンとによってモアレが生じ得ることを本発明者は見出した。
【０００９】
本発明が解決しようとする課題としては、発光領域内の複数の発光部のパターンと複数の発光部からの光によって透光部材に映る光のパターンとによって生じ得るモアレを目立たなくさせることが一例として挙げられる。
【課題を解決するための手段】
【００１０】
請求項１に記載の発明は、
隣り合う第１発光部及び第２発光部を含み、第１色で発光する複数の発光部と、前記第１発光部と前記第２発光部の間に位置する第１透光部及び前記第２発光部の前記第１透光部と反対側に位置する第２透光部と含み、隣り合う前記発光部の間に位置する複数の透光部と、を有する発光領域と、
前記発光領域の発光面側に、前記発光領域から離間して位置する透光部材と、
を備え、
前記第１発光部と前記第２発光部は互いに異なる幅を有し、又は前記第１透光部と前記第２透光部は互いに異なる幅を有する発光装置である。
【図面の簡単な説明】
【００１１】
【図１】実施形態１に係る発光装置を説明するための図である。
【図２】モアレが発生する理由を説明するための図である。
【図３】図１に示した発光部材の詳細の一例を説明するための図である。
【図４】図３に示した発光装置を基板の第１面側から見た平面図である。
【図５】図４のＡ−Ａ断面図である。
【図６】実施形態１の第１例に係る発光領域を説明するための図である。
【図７】図６の比較例１の位置Ｐにおけるパターン（図６の比較例１の２段目）をフーリエ変換することによって得られたスペクトル（図７の上段）及び図６の実施形態１の位置Ｐにおけるパターン（図６の実施形態１の２段目）をフーリエ変換することによって得られたスペクトル（図７の下段）を示す図である。
【図８】実施形態１の第２例に係る発光領域を説明するための図である。
【図９】図８の比較例１の位置Ｐにおけるパターン（図８の比較例１の２段目）をフーリエ変換することによって得られたスペクトル（図９の上段）及び図８の実施形態１の位置Ｐにおけるパターン（図８の実施形態１の２段目）をフーリエ変換することによって得られたスペクトル（図９の下段）を示す図である。
【図１０】実施形態１の第３例に係る発光領域を説明するための図である。
【図１１】図１０の比較例１の位置Ｐにおけるパターン（図１０の比較例１の２段目）をフーリエ変換することによって得られたスペクトル（図１１の上段）及び図１０の実施形態１の位置Ｐにおけるパターン（図１０の実施形態１の２段目）をフーリエ変換することによって得られたスペクトル（図１１の下段）を示す図である。
【図１２】実施形態１の第４例に係る発光領域を説明するための図である。
【図１３】図１２の比較例１の位置Ｐにおけるパターン（図１２の比較例１の２段目）をフーリエ変換することによって得られたスペクトル（図１３の上段）及び図１２の実施形態１の位置Ｐにおけるパターン（図１２の実施形態１の２段目）をフーリエ変換することによって得られたスペクトル（図１３の下段）を示す図である。
【図１４】実施形態１の第５例に係る発光領域を説明するための図である。
【図１５】図１４の比較例１の位置Ｐにおけるパターン（図１４の比較例１の２段目）をフーリエ変換することによって得られたスペクトル（図１５の上段）及び図１４の実施形態１の位置Ｐにおけるパターン（図１４の実施形態１の２段目）をフーリエ変換することによって得られたスペクトル（図１５の下段）を示す図である。
【図１６】実施形態１の第６例に係る発光領域を説明するための図である。
【図１７】図１６の比較例１の位置Ｐにおけるパターン（図１６の比較例１の２段目）をフーリエ変換することによって得られたスペクトル（図１７の上段）及び図１６の実施形態１の位置Ｐにおけるパターン（図１６の実施形態１の２段目）をフーリエ変換することによって得られたスペクトル（図１７の下段）を示す図である。
【図１８】図１０又は図１２に示した発光領域１４０の詳細の第１例を説明するための図である。
【図１９】図１０又は図１２に示した発光領域１４０の詳細の第２例を説明するための図である。
【図２０】実施形態２の第１例に係る発光装置を説明するための図である。
【図２１】図２０に示した発光装置によるモアレの一例を説明するための図である。
【図２２】図２１の比較例２の位置Ｐにおけるパターンをフーリエ変換することによって得られたスペクトル（図２２の上段）及び図２１の実施形態２の位置Ｐにおけるパターンをフーリエ変換することによって得られたスペクトル（図２２の下段）を示す図である。
【図２３】実施形態２においてモアレが目立たなくなる理由を説明するための図である。
【図２４】実施形態２の第２例に係る発光装置を説明するための図である。
【図２５】図２４に示した発光装置によるモアレの一例を説明するための図である。
【図２６】図２５の比較例２の位置Ｐにおけるパターンをフーリエ変換することによって得られたスペクトル（図２６の上段）及び図２５の実施形態２の位置Ｐにおけるパターンをフーリエ変換することによって得られたスペクトル（図２６の下段）を示す図である。
【図２７】実施形態２の第３例に係る発光装置を説明するための図である。
【図２８】図２７に示した発光装置によるモアレの一例を説明するための図である。
【図２９】図２８の比較例２の位置Ｐにおけるパターンをフーリエ変換することによって得られたスペクトル（図２９の上段）及び図２８の実施形態２の位置Ｐにおけるパターンをフーリエ変換することによって得られたスペクトル（図２９の下段）を示す図である。
【図３０】実施形態２の第４例に係る発光装置を説明するための図である。
【図３１】図３０に示した発光装置によるモアレの一例を説明するための図である。
【図３２】図３１の比較例２の位置Ｐにおけるパターンをフーリエ変換することによって得られたスペクトル（図３２の上段）及び図３１の実施形態２の位置Ｐにおけるパターンをフーリエ変換することによって得られたスペクトル（図３２の下段）を示す図である。
【図３３】実施形態２の第５例に係る発光装置を説明するための図である。
【図３４】実施形態２の第６例に係る発光装置を説明するための図である。
【図３５】実施形態２の第７例に係る発光装置を説明するための図である。
【図３６】実施形態２の第８例に係る発光装置を説明するための図である。
【発明を実施するための形態】
【００１２】
以下、本発明の実施の形態について、図面を用いて説明する。尚、すべての図面において、同様な構成要素には同様の符号を付し、適宜説明を省略する。
【００１３】
（実施形態１）
図１は、実施形態１に係る発光装置３０を説明するための図である。
【００１４】
発光装置３０は、発光部材１０及び透光部材２０を備えている。
【００１５】
発光部材１０は、発光領域１４０を有している。発光領域１４０は、複数の発光部１４２及び複数の透光部１４４を有している。複数の発光部１４２及び複数の透光部１４４は、交互に並んでおり、特に、複数の透光部１４４のそれぞれは、隣り合う発光部１４２の間に位置している。複数の発光部１４２は、第１色で発光する。つまり、発光領域１４０からは単一の光（第１色の光）が発せられる。第１色は、例えば赤色である。複数の発光部１４２から発せられた光は、透光部材２０側に出射される。
【００１６】
透光部材２０は、発光領域１４０の発光面側に、発光領域１４０から離間して位置している。透光部材２０は、面２２及び面２４を有している。透光部材２０は、面２２が発光領域１４０に対向するように位置している。透光部材２０の面２２には、発光領域１４０内の複数の発光部１４２のパターンが映っている。面２４は、面２２の反対側に位置している。
【００１７】
透光部材２０は、発光部材１０（発光領域１４０）を保護するカバーとして機能することができる。透光部材２０は、耐食性の高い透明樹脂、例えば、アクリル樹脂又はポリカーボネートからなるようにすることができる。
【００１８】
図１に示す例において、発光領域１４０内の複数の発光部１４２のパターンは、位置Ｐから角度θｐの範囲内に位置しており、透光部材２０に映る光のパターンは、位置Ｐから角度θｃの範囲内に位置している。位置Ｐは、発光領域１４０を挟んで透光部材２０の反対側に位置している。透光部材２０は、発光領域１４０よりも、位置Ｐから離れており、したがって、角度θｃは角度θｐよりも小さい。
【００１９】
図１に示す発光装置３０は、自動車のハイマウントストップランプ（ＨＭＳＬ）に用いることができる。具体的には、発光部材１０は、ＨＭＳＬとなり、自動車のリアガラスに取り付けることができ、自動車の外部、特に自動車の後方に向けて光を出射する。位置Ｐは、運転席と助手席の間の位置とすることができる。
【００２０】
図２は、モアレが発生する理由を説明するための図である。
【００２１】
位置Ｐ（図２内の３段目のパターン）では、発光領域１４０内の複数の発光部１４２のパターン（図２内の２段目のパターン）と透光部材２０に映る光のパターン（図２内の１段目のパターン）によってモアレが発生しており、明部（Ｂ）及び暗部（Ｄ）が交互に並んでいる。
【００２２】
位置Ｐにおけるモアレは、発光領域１４０内の複数の発光部１４２のパターンの幅と透光部材２０に映る光のパターンの幅が位置Ｐにおいて異なることによって発生している。具体的には、上記のとおり、発光領域１４０内の複数の発光部１４２のパターンは、位置Ｐから角度θｐの範囲内に位置し、透光部材２０に映る光のパターンは、位置Ｐから角度θｃの範囲内に位置している。角度θｃは角度θｐよりも小さくなっている。したがって、位置Ｐでは、発光領域１４０内の複数の発光部１４２のパターンと透光部材２０に映る光のパターンとにずれが生じ、これによって位置Ｐにおいてモアレが発生している。
【００２３】
図３は、図１に示した発光部材１０の詳細の一例を説明するための図である。
【００２４】
図３に示す例において、発光部材１０は、ボトムエミッションであり、発光部１４２からの光が基板１００（詳細は後述）を透過して出射されている。他の例において、発光部材１０は、ボトムエミッションでなくてもよく、トップエミッションであってもよい。
【００２５】
発光部材１０は、基板１００を備えている。基板１００は、第１面１０２及び第２面１０４を有している。複数の発光部１４２は、基板１００の第１面１０２側に位置している。第２面１０４は、第１面１０２の反対側に位置している。基板１００は、第２面１０４が透光部材２０に対向するように位置している。
【００２６】
基板１００の第２面１０４は、発光領域１４０の発光面として機能している。具体的には、複数の発光部１４２からの光は、基板１００を透過して基板１００の第２面１０４から透光部材２０に向けて出射される。
【００２７】
図４は、図３に示した発光装置３０を基板１００の第１面１０２側から見た平面図である。図５は、図４のＡ−Ａ断面図である。
【００２８】
図４を用いて、発光部材１０の平面レイアウトの詳細を説明する。
【００２９】
発光部材１０は、基板１００及び発光領域１４０を備えている。発光領域１４０は、複数の発光部１４２及び複数の透光部１４４を有している。
【００３０】
図４に示す例では、基板１００の形状は、一対の長辺及び一対の短辺を有する矩形である。なお、基板１００の形状は、図４に示す例に限定されるものではない。
【００３１】
発光領域１４０は、面状に広がっており、図４に示す例では、発光領域１４０の形状は、一対の長辺及び一対の短辺を有する矩形である。特に図４に示す例では、複数の発光部１４２及び複数の透光部１４４は、基板１００の短辺の延伸方向に延伸しており、基板１００の長辺の延伸方向に並んでいる。このようにして、複数の発光部１４２は、ストライプ状に並んでいる。なお、発光領域１４０の形状は、図４に示す例に限定されるものではない。
【００３２】
図５を用いて、発光部材１０の断面構造の詳細を説明する。
【００３３】
発光部材１０は、基板１００、第１電極１１０、有機層１２０及び第２電極１３０を有している。
【００３４】
基板１００は、第１面１０２及び第２面１０４を有している。第２面１０４は、第１面１０２の反対側にある。第１電極１１０、有機層１２０及び第２電極１３０は、基板１００の第１面１０２側に位置している。
【００３５】
基板１００は、透光性を有する絶縁材料からなっている。一例において、基板１００は、ガラス又は樹脂（例えば、ＰＥＮ（ポリエチレンナフタレート）、ＰＥＳ（ポリエーテルサルホン）、ＰＥＴ（ポリエチレンテレフタラート）又はポリイミド）からなっている。
【００３６】
基板１００は、可撓性を有していてもよいし、又は可撓性を有していなくてもよい。基板１００が樹脂から成る場合、基板１００は可撓性を有するようにすることができる。
【００３７】
第１電極１１０は、導電性を及び透光性を有する材料からなっている。一例において、第１電極１１０は、金属酸化物、より具体的には、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）又はＺｎＯ（Ｚｉｎｃ  Ｏｘｉｄｅ）を含んでいる。他の例において、第１電極１１０は、導電性有機材料、より具体的には、カーボンナノチューブ又はＰＥＤＯＴ／ＰＳＳを含んでいてもよい。
【００３８】
有機層１２０は、有機ＥＬによって光を発する材料を含んでいる。一例において、有機層１２０は、第１電極１１０側から第２電極１３０側に向けて、正孔注入層（ＨＩＬ）、正孔輸送層（ＨＴＬ）、発光層（ＥＭＬ）、電子輸送層（ＥＴＬ）及び電子注入層（ＥＩＬ）を順に含んでいる。第１電極１１０からＨＩＬ及びＨＴＬを経由して正孔がＥＭＬに注入され、第２電極１３０からＥＩＬ及びＥＴＬを経由して電子がＥＭＬに注入される。正孔及び電子は、ＥＭＬにおいて再結合し、これによって光が発せられる。
【００３９】
第２電極１３０は、導電性及び遮光性を有する材料からなっており、特に、光反射性を有している。一例において、金属、より具体的には、Ａｌ、Ａｕ、Ａｇ、Ｐｔ、Ｍｇ、Ｓｎ、Ｚｎ及びＩｎからなる群の中から選択される金属又はこの群から選択される金属の合金を含んでいる。
【００４０】
発光部１４２は、基板１００の第１面１０２から第１電極１１０、有機層１２０及び第２電極１３０を順に含む積層構造からなっている。図５の黒矢印で示すように、発光部１４２では、有機層１２０から発せられた光は、第１電極１１０を透過して基板１００を透過して基板１００の第２面１０４から出射される。有機層１２０から発せられた光が第２電極１３０側に向かったとしても、この光は第２電極１３０によって第１電極１１０側に向けて反射される。
【００４１】
図５に示す例では、第２電極１３０の幅は、発光部１４２の幅よりも広くなっている。特に、第２電極１３０の端部は、発光部１４２の端部から距離Δだけ外側に位置している。
【００４２】
透光部１４４には、遮光部材、特に、図５に示す例では第２電極１３０が重なっていない。したがって、図５の白矢印で示すように、外部からの光が透光部１４４を透過することができる。
【００４３】
図６は、実施形態１の第１例に係る発光領域１４０を説明するための図である。
【００４４】
複数の発光部１４２は、第１色で発光する。つまり、発光領域１４０からは単一の光（第１色の光）が発せられる。第１色は、例えば赤色である。発光領域１４０がＨＭＳＬとして用いられる場合は、第１色は赤色にすることができる。
【００４５】
図６の実施形態１における発光領域１４０のパターン（図６の実施形態１の１段目）では、複数の透光部１４４の幅が発光領域１４０内の位置によって異なっている。特に図６に示す例では、第１幅を有する透光部１４４（第１透光部）と第１幅よりも広い第２幅を有する透光部１４４（第２透光部）が交互に並んでいる。このようにして、複数の発光部１４２及び複数の透光部１４４の配列方向において、複数の透光部１４４の幅が周期的に変化している。
【００４６】
図６の実施形態１における発光領域１４０のパターン（図６の実施形態１の１段目）において、複数の発光部１４２の幅は、互いに実質的に同一となっており、一例において、各発光部１４２の幅は、複数の発光部１４２の幅の平均の９５％以上１０５％以下の範囲にある。複数の発光部１４２の幅が互いに実質的に同一であることによって、発光領域１４０内での輝度のばらつきを目立たせなくすることができる。
【００４７】
図６の比較例１における発光領域１４０内の複数の発光部１４２のパターン（図６の比較例１の１段目）では、複数の透光部１４４の幅が発光領域１４０内のいずれの位置においても同一となっており、複数の発光部１４２の幅が発光領域１４０内のいずれの位置においても同一となっている。
【００４８】
図６において、角度θｐに対する角度θｃの相対的大きさ（例えば、図１）は、実施形態１及び比較例１において同一となっている。つまり、実施形態１及び比較例１において、発光部材１０（発光領域１４０）の幅、発光部材１０と透光部材２０の間の距離、及び位置Ｐと発光部材１０の間の距離は、共通している。
【００４９】
図７は、図６の比較例１の位置Ｐにおけるパターン（図６の比較例１の２段目）をフーリエ変換することによって得られたスペクトル（図７の上段）及び図６の実施形態１の位置Ｐにおけるパターン（図６の実施形態１の２段目）をフーリエ変換することによって得られたスペクトル（図７の下段）を示す図である。
【００５０】
図７の各スペクトルにおける横軸の空間周波数は、パターンの全幅に対する各スペクトルの波数である。
【００５１】
図６の比較例１における位置Ｐのパターン（図６の比較例１の２段目）では、暗部（Ｄ）、明部（Ｂ）及び暗部（Ｄ）の周期が４回繰り返されているといえる。このことは、図７の比較例１におけるスペクトル（図７の上段）の空間周波数４においてピークが現れていることからも観測される。
【００５２】
図６及び図７の結果より、人間の視覚にとって目立つモアレの成分は、低空間周波数（例えば、おおよそ１以上１０以下）における成分であるといえる。これに対して、高空間周波数（例えば、おおよそ５０以上）における成分では、モアレの明暗間距離が短くなり、モアレを人間の視覚で識別することが困難となる。したがって、高空間周波数における成分は、人間の視覚にとって目立たない成分であるといえる。
【００５３】
図７において、実施形態１のスペクトル（図７の下段）の低空間周波数、特に１以上１０以下におけるピークの大きさ（図７において破線の丸で囲まれた空間周波数４の成分の大きさ）は、比較例１のスペクトル（図７の上段）の低空間周波数、特に１以上１０以下におけるピークの大きさ（図７において破線の丸で囲まれた空間周波数４の成分の大きさ）よりも小さくなっている。したがって、実施形態１のモアレ（図６の実施形態１の２段目）は、比較例１のモアレ（図６の比較例１の２段目）よりも目立たなくなっているといえる。
【００５４】
なお、図７の実施形態１のスペクトルでは、空間周波数１００及びその周辺においてピークが現れているが、高空間周波数における成分は、上記のとおり、人間の視覚にとって目立たない成分であるといえる。したがって、実施形態１のモアレ（図６の実施形態１の２段目）が図７の実施形態１のスペクトル（図７の下段）における空間周波数１００及びその周辺のピークによって目立つことはないといえる。
【００５５】
図８は、実施形態１の第２例に係る発光領域１４０を説明するための図である。図８に示す例は、以下の点を除いて、図６に示した例と同様である。
【００５６】
図８の実施形態１における発光領域１４０のパターン（図８の実施形態１の１段目）では、複数の透光部１４４の幅が発光領域１４０内の位置によって異なっている。特に図８に示す例では、第１幅を有する透光部１４４、第１幅と等しい第２幅を有する透光部１４４、第１幅よりも狭い第３幅を有する透光部１４４及び第１幅よりも広い第４幅を有する透光部１４４が繰り返し並んでいる。このようにして、複数の発光部１４２及び複数の透光部１４４の配列方向において、複数の透光部１４４の幅が周期的に変化している。
【００５７】
図９は、図８の比較例１の位置Ｐにおけるパターン（図８の比較例１の２段目）をフーリエ変換することによって得られたスペクトル（図９の上段）及び図８の実施形態１の位置Ｐにおけるパターン（図８の実施形態１の２段目）をフーリエ変換することによって得られたスペクトル（図９の下段）を示す図である。
【００５８】
図９において、実施形態１のスペクトル（図９の下段）の低空間周波数、特に１以上１０以下におけるピークの大きさ（図９において破線の丸で囲まれた空間周波数４の成分の大きさ）は、比較例１のスペクトル（図９の上段）の低空間周波数、特に１以上１０以下におけるピークの大きさ（図９において破線の丸で囲まれた空間周波数４の成分の大きさ）よりも小さくなっている。したがって、実施形態１のモアレ（図８の実施形態１の２段目）は、比較例１のモアレ（図８の比較例１の２段目）よりも目立たなくなっているといえる。
【００５９】
なお、図９の実施形態１のスペクトルでは、空間周波数５０及びその周辺、空間周波数１００及びその周辺並びに空間周波数１５０及びその周辺においてピークが現れているが、高空間周波数における成分は、上記のとおり、人間の視覚にとって目立たない成分であるといえる。したがって、実施形態１のモアレ（図８の実施形態１の２段目）が図９の実施形態１のスペクトル（図９の下段）における空間周波数５０及びその周辺、空間周波数１００及びその周辺並びに空間周波数１５０及びその周辺のピークによって目立つことはないといえる。
【００６０】
図１０は、実施形態１の第３例に係る発光領域１４０を説明するための図である。図１０に示す例は、以下の点を除いて、図８に示した例と同様である。
【００６１】
図１０の実施形態１における発光領域１４０のパターン（図１０の実施形態１の１段目）では、複数の透光部１４４の幅が発光領域１４０内の位置によって異なっている。特に図１０に示す例では、第１幅を有する透光部１４４、第１幅と等しい第２幅を有する透光部１４４、第１幅と等しい第３幅を有する透光部１４４、第１幅と等しい第４幅を有する透光部１４４、第１幅と等しい第５幅を有する透光部１４４及び第１幅よりも広い第６幅を有する透光部１４４が繰り返し並んでいる。このようにして、複数の発光部１４２及び複数の透光部１４４の配列方向において、複数の透光部１４４の幅が周期的に変化している。
【００６２】
図１１は、図１０の比較例１の位置Ｐにおけるパターン（図１０の比較例１の２段目）をフーリエ変換することによって得られたスペクトル（図１１の上段）及び図１０の実施形態１の位置Ｐにおけるパターン（図１０の実施形態１の２段目）をフーリエ変換することによって得られたスペクトル（図１１の下段）を示す図である。
【００６３】
図１１において、実施形態１のスペクトル（図１１の下段）の低空間周波数、特に１以上１０以下におけるピークの大きさ（図１１において破線の丸で囲まれた空間周波数４の成分の大きさ）は、比較例１のスペクトル（図１１の上段）の低空間周波数、特に１以上１０以下におけるピークの大きさ（図１１において破線の丸で囲まれた空間周波数４の成分の大きさ）よりも小さくなっている。したがって、実施形態１のモアレ（図１０の実施形態１の２段目）は、比較例１のモアレ（図１０の比較例１の２段目）よりも目立たなくなっているといえる。
【００６４】
なお、図１１の実施形態１のスペクトルでは、空間周波数３３及びその周辺、空間周波数６６及びその周辺、空間周波数９９及びその周辺、空間周波数１３２及びその周辺並びに空間周波数１６５及びその周辺においてピークが現れているが、高空間周波数における成分は、上記のとおり、人間の視覚にとって目立たない成分であるといえる。したがって、実施形態１のモアレ（図１０の実施形態１の２段目）が図１１の実施形態１のスペクトル（図１１の下段）における空間周波数３３及びその周辺、空間周波数６６及びその周辺、空間周波数９９及びその周辺、空間周波数１３２及びその周辺並びに空間周波数１６５及びその周辺のピークによって目立つことはないといえる。
【００６５】
図１２は、実施形態１の第４例に係る発光領域１４０を説明するための図である。図１１２に示す例は、以下の点を除いて、図８に示した例と同様である。
【００６６】
図１２の実施形態１における発光領域１４０のパターン（図１２の実施形態１の１段目）では、複数の透光部１４４の幅が発光領域１４０内の位置によって異なっている。特に図１２に示す例では、第１幅を有する透光部１４４、第１幅と等しい第２幅を有する透光部１４４、第１幅と等しい第３幅を有する透光部１４４及び第１幅よりも広い第４幅を有する透光部１４４が繰り返し並んでいる。このようにして、複数の発光部１４２及び複数の透光部１４４の配列方向において、複数の透光部１４４の幅が周期的に変化している。
【００６７】
図１３は、図１２の比較例１の位置Ｐにおけるパターン（図１２の比較例１の２段目）をフーリエ変換することによって得られたスペクトル（図１３の上段）及び図１２の実施形態１の位置Ｐにおけるパターン（図１２の実施形態１の２段目）をフーリエ変換することによって得られたスペクトル（図１３の下段）を示す図である。
【００６８】
図１３において、実施形態１のスペクトル（図１３の下段）の低空間周波数、特に１以上１０以下におけるピークの大きさ（図１３において破線の丸で囲まれた空間周波数４の成分の大きさ）は、比較例１のスペクトル（図１３の上段）の低空間周波数、特に１以上１０以下におけるピークの大きさ（図１３において破線の丸で囲まれた空間周波数４の成分の大きさ）よりも小さくなっている。したがって、実施形態１のモアレ（図１２の実施形態１の２段目）は、比較例１のモアレ（図１２の比較例１の２段目）よりも目立たなくなっているといえる。
【００６９】
なお、図１３の実施形態１のスペクトルでは、空間周波数５０及びその周辺、空間周波数１００及びその周辺並びに空間周波数１５０及びその周辺においてピークが現れているが、高空間周波数における成分は、上記のとおり、人間の視覚にとって目立たない成分であるといえる。したがって、実施形態１のモアレ（図１２の実施形態１の２段目）が図１３の実施形態１のスペクトル（図１３の下段）における空間周波数５０及びその周辺、空間周波数１００及びその周辺並びに空間周波数１５０及びその周辺のピークによって目立つことはないといえる。
【００７０】
図１４は、実施形態１の第５例に係る発光領域１４０を説明するための図である。図１４に示す例は、以下の点を除いて、図８に示した例と同様である。
【００７１】
図１４の実施形態１における発光領域１４０のパターン（図１４の実施形態１の１段目）では、複数の発光部１４２の幅が発光領域１４０内の位置によって異なっている。特に図１４に示す例では、第１幅を有する発光部１４２（第１発光部）及び第１幅よりも狭い第２幅を有する発光部１４２（第２発光部）が交互に並んでいる。このようにして、複数の発光部１４２及び複数の透光部１４４の配列方向において、複数の発光部１４２の幅が周期的に変化している。
【００７２】
なお、図１４の実施形態１において、複数の発光部１４２は等間隔に並んでいる。他の例において、複数の透光部１４４の幅が、発光領域１４０内の位置によらず一定であってもよい。
【００７３】
図５に示した距離Δは、発光部１４２の幅により異なっていてもよい。特に、距離Δは、発光部１４２の幅が広くいほど大きくなっていてもよい。例えば、上述した第２発光部（上述した第１発光部よりも狭い発光部）の距離Δは、上述した第１発光部の距離Δよりも小さくてもよい。
【００７４】
図５に示した距離Δは、発光部１４２の幅によらずに実質的に等しくてもよい。例えば、各発光部１４２の距離Δは、複数の発光部１４２の距離Δの平均の９５％以上１０５％以下とすることができる。
【００７５】
図１５は、図１４の比較例１の位置Ｐにおけるパターン（図１４の比較例１の２段目）をフーリエ変換することによって得られたスペクトル（図１５の上段）及び図１４の実施形態１の位置Ｐにおけるパターン（図１４の実施形態１の２段目）をフーリエ変換することによって得られたスペクトル（図１５の下段）を示す図である。
【００７６】
図１５において、実施形態１のスペクトル（図１５の下段）の低空間周波数、特に１以上１０以下におけるピークの大きさ（図１５において破線の丸で囲まれた空間周波数４の成分の大きさ）は、比較例１のスペクトル（図１５の上段）の低空間周波数、特に１以上１０以下におけるピークの大きさ（図１５において破線の丸で囲まれた空間周波数４の成分の大きさ）よりも小さくなっている。したがって、実施形態１のモアレ（図１４の実施形態１の２段目）は、比較例１のモアレ（図１４の比較例１の２段目）よりも目立たなくなっているといえる。
【００７７】
なお、図１５の実施形態１のスペクトルでは、空間周波数１００及びその周辺においてピークが現れているが、高空間周波数における成分は、上記のとおり、人間の視覚にとって目立たない成分であるといえる。したがって、実施形態１のモアレ（図１４の実施形態１の２段目）が図１５の実施形態１のスペクトル（図１５の下段）における空間周波数１００及びその周辺のピークによって目立つことはないといえる。
【００７８】
図１６は、実施形態１の第６例に係る発光領域１４０を説明するための図である。図１６に示す例は、以下の点を除いて、図１４に示した例と同様である。
【００７９】
図１６の実施形態１における発光領域１４０内の複数の発光部１４２のパターン（図１６の実施形態１の１段目）では、複数の発光部１４２の幅が発光領域１４０内の位置によって異なっている。特に図１６に示す例では、第１幅を有する発光部１４２、第１幅と等しい第２幅を有する発光部１４２、第１幅よりも狭い第３幅を有する発光部１４２及び第１幅よりも広い第４幅を有する発光部１４２が繰り返し並んでいる。このようにして、複数の発光部１４２及び複数の透光部１４４の配列方向において、複数の発光部１４２の幅が周期的に変化している。
【００８０】
図１７は、図１６の比較例１の位置Ｐにおけるパターン（図１６の比較例１の２段目）をフーリエ変換することによって得られたスペクトル（図１７の上段）及び図１６の実施形態１の位置Ｐにおけるパターン（図１６の実施形態１の２段目）をフーリエ変換することによって得られたスペクトル（図１７の下段）を示す図である。
【００８１】
図１７において、実施形態１のスペクトル（図１７の下段）の低空間周波数、特に１以上１０以下におけるピークの大きさ（図１７において破線の丸で囲まれた空間周波数４の成分の大きさ）は、比較例１のスペクトル（図１７の上段）の低空間周波数、特に１以上１０以下におけるピークの大きさ（図１７において破線の丸で囲まれた空間周波数４の成分の大きさ）よりも小さくなっている。したがって、実施形態１のモアレ（図１６の実施形態１の２段目）は、比較例１のモアレ（図１６の比較例１の２段目）よりも目立たなくなっているといえる。
【００８２】
なお、図１７の実施形態１のスペクトルでは、空間周波数５０及びその周辺、空間周波数１００及びその周辺並びに空間周波数１５０及びその周辺においてピークが現れているが、高空間周波数における成分は、上記のとおり、人間の視覚にとって目立たない成分であるといえる。したがって、実施形態１のモアレ（図１６の実施形態１の２段目）が図１７の実施形態１のスペクトル（図１７の下段）における空間周波数５０及びその周辺、空間周波数１００及びその周辺並びに空間周波数１５０及びその周辺のピークによって目立つことはないといえる。
【００８３】
図１８は、図１０又は図１２に示した発光領域１４０の詳細の第１例を説明するための図である。
【００８４】
発光領域１４０は、複数の部分発光領域１４０ａを有している。各部分発光領域１４０ａは、複数の発光部１４２及び複数の透光部１４４を有している。複数の部分発光領域１４０ａは、共通の基板（基板１００）に設けられている。
【００８５】
発光領域１４０は、部分発光領域１４０ａ内で隣り合う発光部１４２の間に透光部１４４（透光部１４４ａ）を有しており、隣り合う部分発光領域１４０ａの間に透光部１４４（透光部１４４ｂ）を有している。透光部１４４ｂの幅は、透光部１４４ａの幅よりも広くなっている。したがって、複数の透光部１４４の幅は、発光領域１４０内の位置によって異なっている。特に図１８に示す例では、複数の透光部１４４の幅は、発光領域１４０内の位置によって周期的に変化しており、具体的には、部分発光領域１４０ａ内で隣り合う発光部１４２の間では透光部１４４ａの幅となり、隣り合う部分発光領域１４０ａの間では透光部１４４ｂの幅となっている。
【００８６】
図１９は、図１０又は図１２に示した発光領域１４０の詳細の第２例を説明するための図である。図１９に示す例は、以下の点を除いて、図１８に示した例と同様である。
【００８７】
発光部材１０は、複数の基板１００及び複数の部分発光領域１４０ａを有している。複数の部分発光領域１４０ａは、複数の基板１００にそれぞれ設けられている。つまり、発光領域１４０は、複数の基板１００に亘って位置している。図１９に示す例においても、隣り合う部分発光領域１４０ａの間の領域は、透光部１４４ｂとなっている。
【００８８】
以上、本実施形態によれば、発光領域１４０内の複数の発光部１４２のパターンと複数の発光部１４２からの光によって透光部材２０に映る光のパターンとによって生じ得るモアレを目立たなくさせることができる。
【００８９】
（実施形態２）
図２０は、実施形態２の第１例に係る発光装置３０を説明するための図である。図２０に示す発光装置３０は、以下の点を除いて、実施形態１に係る発光装置３０と同様である。
【００９０】
発光装置３０は、発光部材１０及び透光部材２０を備えている。
【００９１】
図２０に示す発光部材１０は、図３から図５に示した発光部材１０と同様である。特に、発光部材１０は、基板１００の第２面１０４が透光部材２０に対向するように位置しており、複数の発光部１４２は、基板１００の第１面１０２側に位置している。
【００９２】
透光部材２０は、発光部材１０とは反対側に向けて凸に湾曲している。発光部材１０は、平坦な形状を有している。したがって、発光部材１０と透光部材２０の間の距離ｄは、位置によって異なっており、具体的には透光部材２０の中心に向かうほど大きくなっている。このようにして、透光部材２０は、発光部材１０から第１距離離れた第１部分（例えば、図２０の点Ａ１）及び第１の距離と異なる第２距離離れた第２部分（例えば、図２０の点Ａ２）を有している。特に図２０に示す例では、点Ａ１と発光部材１０の間の距離ｄＡ１は、点Ａ２と発光部材１０の間の距離ｄＡ２よりも大きくなっている。
【００９３】
特に図２０に示す例では、透光部材２０は、発光部材１０に垂直に交わる直線（図２０では、ｙ軸）上に中心Ｃを有する円弧に沿って湾曲している。発光部材１０は、移動体（例えば、自動車）のリアガラスに取り付けられたハイマウントストップランプとすることができる。上記直線の延伸方向（図２０のｙ軸方向）において、移動体の運転席Ｄは、円弧の中心Ｃよりも、発光部材１０から離れて位置している。
【００９４】
図２１は、図２０に示した発光装置３０によるモアレの一例を説明するための図である。
【００９５】
実施形態２において、上記したように、透光部材２０は、湾曲している。さらに、実施形態２において、複数の発光部１４２は、等間隔に並んでおり、複数の発光部１４２の幅は、互いに実質的に同一となっており、複数の透光部１４４の幅は、互いに実質的に同一となっている。
【００９６】
比較例２は、透光部材２０が平坦な形状を有する点を除いて、実施形態２と同様である。
【００９７】
図２２は、図２１の比較例２の位置Ｐにおけるパターンをフーリエ変換することによって得られたスペクトル（図２２の上段）及び図２１の実施形態２の位置Ｐにおけるパターンをフーリエ変換することによって得られたスペクトル（図２２の下段）を示す図である。
【００９８】
図２１の比較例２における位置Ｐのパターンでは、明部（Ｂ）、暗部（Ｄ）及び明部（Ｂ）の周期が１回繰り返されているといえる。このことは、図２２の比較例２におけるスペクトル（図２２の上段）の空間周波数１においてピークが現れていることからも観測される。
【００９９】
図２２において、実施形態２のスペクトル（図２２の下段）の低空間周波数、特に１以上１０以下におけるピークの大きさ（図２２において破線の丸で囲まれた空間周波数１の成分の大きさ）は、比較例２のスペクトル（図２２の上段）の低空間周波数、特に１以上１０以下におけるピークの大きさ（図２２において破線の丸で囲まれた空間周波数１の成分の大きさ）よりも小さくなっている。したがって、実施形態２のモアレ（図２１）は、比較例２のモアレ（図２１）よりも目立たなくなっているといえる。
【０１００】
図２３は、実施形態２においてモアレが目立たなくなる理由を説明するための図である。
【０１０１】
図２３の４つのスペクトルは、発光部材１０及び透光部材２０の双方が平坦な形状を有する場合の位置Ｐにおけるパターンをフーリエ変換することによって得られている。いずれのスペクトルにおいても、位置Ｐと透光部材２０の間の距離は共通している。１段目、２段目、３段目及び４段目のそれぞれのスペクトルでは、発光部材１０と透光部材２０の間の距離ｄがそれぞれΔｄ、２Δｄ、４Δｄ及び８Δｄとなっている。
【０１０２】
各スペクトルは、低空間周波数において互いに異なる空間周波数にピークを有している。具体的には、１段目のスペクトルは空間周波数１にピークを有し、２段目のスペクトルは空間周波数２にピークを有し、３段目のスペクトルは空間周波数４にピークを有し、４段目のスペクトルは空間周波数８にピークを有している。
【０１０３】
図２３に示す結果は、発光部材１０と透光部材２０の距離ｄによって、低空間周波数におけるピーク位置を制御することができることを示唆する。したがって、発光部材１０と透光部材２０の間の距離ｄが位置によって異なることで、特定の空間周波数にピークが偏在することを防ぎ、ピークの分散が可能になるといえる。このようにして、実施形態２においてモアレが目立たなくなるといえる。
【０１０４】
図２４は、実施形態２の第２例に係る発光装置３０を説明するための図である。図２４に示す発光装置３０は、以下の点を除いて、図２０に示した発光装置３０と同様である。
【０１０５】
透光部材２０は、発光部材１０側に向けて凸に湾曲している。発光部材１０は、平坦な形状を有している。したがって、発光部材１０と透光部材２０の間の距離ｄは、位置によって異なっており、具体的には透光部材２０の中心に向かうほど小さくなっている。このようにして、透光部材２０は、発光部材１０から第１距離離れた第１部分（例えば、図２４の点Ａ１）及び第１の距離と異なる第２距離離れた第２部分（例えば、図２４の点Ａ２）を有している。特に図２４に示す例では、点Ａ１と発光部材１０の間の距離ｄＡ１は、点Ａ２と発光部材１０の間の距離ｄＡ２よりも小さくなっている。
【０１０６】
図２５は、図２４に示した発光装置３０によるモアレの一例を説明するための図である。図２６は、図２５の比較例２の位置Ｐにおけるパターンをフーリエ変換することによって得られたスペクトル（図２６の上段）及び図２５の実施形態２の位置Ｐにおけるパターンをフーリエ変換することによって得られたスペクトル（図２６の下段）を示す図である。図２５及び図２６に示す例は、以下の点を除いて、図２１及び図２２に示した例と同様である。
【０１０７】
図２６において、実施形態２のスペクトル（図２６の下段）の低空間周波数、特に１以上１０以下におけるピークの大きさ（図２６において破線の丸で囲まれた空間周波数１の成分の大きさ）は、比較例２のスペクトル（図２６の上段）の低空間周波数、特に１以上１０以下におけるピークの大きさ（図２６において破線の丸で囲まれた空間周波数１の成分の大きさ）よりも小さくなっている。したがって、実施形態２のモアレ（図２５）は、比較例２のモアレ（図２５）よりも目立たなくなっているといえる。
【０１０８】
図２７は、実施形態２の第３例に係る発光装置３０を説明するための図である。図２７に示す発光装置３０は、以下の点を除いて、図２０に示した発光装置３０と同様である。
【０１０９】
透光部材２０は、発光部材１０に向かう方向及び発光部材１０から離れる方向（特に、図２７に示す例では、発光部材１０に垂直な方向）に振動する波に沿った形状を有しており、図２７に示す例では正弦波に沿って湾曲している。したがって、発光部材１０と透光部材２０の間の距離ｄは、位置によって異なっている。このようにして、透光部材２０は、発光部材１０から第１距離離れた第１部分（例えば、図２７の点Ａ１）及び第１の距離と異なる第２距離離れた第２部分（例えば、図２７の点Ａ２）を有している。特に図２７に示す例では、点Ａ１と発光部材１０の間の距離ｄＡ１は、点Ａ２と発光部材１０の間の距離ｄＡ２よりも大きくなっている。
【０１１０】
図２８は、図２７に示した発光装置３０によるモアレの一例を説明するための図である。図２９は、図２８の比較例２の位置Ｐにおけるパターンをフーリエ変換することによって得られたスペクトル（図２９の上段）及び図２８の実施形態２の位置Ｐにおけるパターンをフーリエ変換することによって得られたスペクトル（図２９の下段）を示す図である。図２８及び図２９に示す例は、以下の点を除いて、図２１及び図２２に示した例と同様である。
【０１１１】
図２９において、実施形態２のスペクトル（図２９の下段）の低空間周波数、特に１以上１０以下におけるピークの大きさ（図２９において破線の丸で囲まれた空間周波数１の成分の大きさ）は、比較例２のスペクトル（図２９の上段）の低空間周波数、特に１以上１０以下におけるピークの大きさ（図２９において破線の丸で囲まれた空間周波数１の成分の大きさ）よりも小さくなっている。したがって、実施形態２のモアレ（図２８）は、比較例２のモアレ（図２８）よりも目立たなくなっているといえる。
【０１１２】
図３０は、実施形態２の第４例に係る発光装置３０を説明するための図である。図３０に示す発光装置３０は、以下の点を除いて、図２０に示した発光装置３０と同様である。
【０１１３】
透光部材２０は、発光部材１０に向かう方向及び発光部材１０から離れる方向（特に、図３０に示す例では、発光部材１０に垂直な方向）に振動する波に沿った形状を有しており、図３０に示す例では三角波状に折れ曲がっている。したがって、発光部材１０と透光部材２０の間の距離ｄは、位置によって異なっている。このようにして、透光部材２０は、発光部材１０から第１距離離れた第１部分（例えば、図３０の点Ａ１）及び第１の距離と異なる第２距離離れた第２部分（例えば、図３０の点Ａ２）を有している。特に図３０に示す例では、点Ａ１と発光部材１０の間の距離ｄＡ１は、点Ａ２と発光部材１０の間の距離ｄＡ２よりも大きくなっている。
【０１１４】
図３１は、図３０に示した発光装置３０によるモアレの一例を説明するための図である。図３２は、図３１の比較例２の位置Ｐにおけるパターンをフーリエ変換することによって得られたスペクトル（図３２の上段）及び図３１の実施形態２の位置Ｐにおけるパターンをフーリエ変換することによって得られたスペクトル（図３２の下段）を示す図である。図３１及び図３２に示す例は、以下の点を除いて、図２１及び図２２に示した例と同様である。
【０１１５】
図３２において、実施形態２のスペクトル（図３２の下段）の低空間周波数、特に１以上１０以下におけるピークの大きさ（図３２において破線の丸で囲まれた空間周波数１の成分の大きさ）は、比較例２のスペクトル（図３２の上段）の低空間周波数、特に１以上１０以下におけるピークの大きさ（図３２において破線の丸で囲まれた空間周波数１の成分の大きさ）よりも小さくなっている。したがって、実施形態２のモアレ（図３１）は、比較例２のモアレ（図３１）よりも目立たなくなっているといえる。
【０１１６】
図３３は、実施形態２の第５例に係る発光装置３０を説明するための図である。図３３に示す発光装置３０は、以下の点を除いて、図２０に示した発光装置３０と同様である。
【０１１７】
発光部材１０は、透光部材２０側に向けて凸に湾曲している。透光部材２０は、平坦な形状を有している。したがって、発光部材１０と透光部材２０の間の距離ｄは、位置によって異なっている。このようにして、透光部材２０は、発光部材１０から第１距離離れた第１部分（例えば、図３３の点Ａ１）及び第１の距離と異なる第２距離離れた第２部分（例えば、図３３の点Ａ２）を有している。特に図３３に示す例では、点Ａ１と発光部材１０の間の距離ｄＡ１は、点Ａ２と発光部材１０の間の距離ｄＡ２よりも小さくなっている。
【０１１８】
図３３に示す例では、発光部材１０と透光部材２０の間の距離ｄが位置によって異なっている。したがって、図２３を用いて説明した理由と同様の理由によって、モアレが目立たなくなる。
【０１１９】
図３４は、実施形態２の第６例に係る発光装置３０を説明するための図である。図３４に示す発光装置３０は、以下の点を除いて、図２０に示した発光装置３０と同様である。
【０１２０】
発光部材１０は、透光部材２０の反対側に向けて凸に湾曲している。透光部材２０は、平坦な形状を有している。したがって、発光部材１０と透光部材２０の間の距離ｄは、位置によって異なっている。このようにして、透光部材２０は、発光部材１０から第１距離離れた第１部分（例えば、図３４の点Ａ１）及び第１の距離と異なる第２距離離れた第２部分（例えば、図３４の点Ａ２）を有している。特に図３４に示す例では、点Ａ１と発光部材１０の間の距離ｄＡ１は、点Ａ２と発光部材１０の間の距離ｄＡ２よりも大きくなっている。
【０１２１】
図３４に示す例では、発光部材１０と透光部材２０の間の距離ｄが位置によって異なっている。したがって、図２３を用いて説明した理由と同様の理由によって、モアレが目立たなくなる。
【０１２２】
図３５は、実施形態２の第７例に係る発光装置３０を説明するための図である。図３５に示す発光装置３０は、以下の点を除いて、図２０に示した発光装置３０と同様である。
【０１２３】
発光部材１０は、透光部材２０に向かう方向及び透光部材２０から離れる方向（特に、図３５に示す例では、透光部材２０に垂直な方向）に振動する波に沿った形状を有しており、図３５に示す例では正弦波に沿って湾曲している。したがって、発光部材１０と透光部材２０の間の距離ｄは、位置によって異なっている。このようにして、透光部材２０は、発光部材１０から第１距離離れた第１部分（例えば、図３５の点Ａ１）及び第１の距離と異なる第２距離離れた第２部分（例えば、図３５の点Ａ２）を有している。特に図３５に示す例では、点Ａ１と発光部材１０の間の距離ｄＡ１は、点Ａ２と発光部材１０の間の距離ｄＡ２よりも小さくなっている。
【０１２４】
図３５に示す例では、発光部材１０と透光部材２０の間の距離ｄが位置によって異なっている。したがって、図２３を用いて説明した理由と同様の理由によって、モアレが目立たなくなる。
【０１２５】
図３６は、実施形態２の第８例に係る発光装置３０を説明するための図である。図３６に示す発光装置３０は、以下の点を除いて、図２０に示した発光装置３０と同様である。
【０１２６】
発光部材１０は、透光部材２０に向かう方向及び透光部材２０から離れる方向（特に、図３６に示す例では、透光部材２０に垂直な方向）に振動する波に沿った形状を有しており、図３６に示す例では三角波に沿って折れ曲がっている。したがって、発光部材１０と透光部材２０の間の距離ｄは、位置によって異なっている。このようにして、透光部材２０は、発光部材１０から第１距離離れた第１部分（例えば、図３６の点Ａ１）及び第１の距離と異なる第２距離離れた第２部分（例えば、図３６の点Ａ２）を有している。特に図３６に示す例では、点Ａ１と発光部材１０の間の距離ｄＡ１は、点Ａ２と発光部材１０の間の距離ｄＡ２よりも小さくなっている。
【０１２７】
図３６に示す例では、発光部材１０と透光部材２０の間の距離ｄが位置によって異なっている。したがって、図２３を用いて説明した理由と同様の理由によって、モアレが目立たなくなる。
【０１２８】
以上、本実施形態によれば、発光領域１４０内の複数の発光部１４２のパターンと複数の発光部１４２からの光によって透光部材２０に映る光のパターンとによって生じ得るモアレを目立たなくさせることができる。
【０１２９】
以上、図面を参照して実施形態及び実施例について述べたが、これらは本発明の例示であり、上記以外の様々な構成を採用することもできる。
【符号の説明】
【０１３０】
１０  発光部材
２０  透光部材
２２  面
２４  面
３０  発光装置
１００  基板
１０２  第１面
１０４  第２面
１１０  第１電極
１２０  有機層
１３０  第２電極
１４０  発光領域
１４０ａ  部分発光領域
１４２  発光部
１４４  透光部
１４４ａ  透光部
１４４ｂ  透光部
【図１】
2019033237.tif 000003
【図２】
2019033237.tif 000004
【図３】
2019033237.tif 000005
【図４】
2019033237.tif 000006
【図５】
2019033237.tif 000007
【図６】
2019033237.tif 000008
【図７】
2019033237.tif 000009
【図８】
2019033237.tif 000010
【図９】
2019033237.tif 000011
【図１０】
2019033237.tif 000012
【図１１】
2019033237.tif 000013
【図１２】
2019033237.tif 000014
【図１３】
2019033237.tif 000015
【図１４】
2019033237.tif 000016
【図１５】
2019033237.tif 000017
【図１６】
2019033237.tif 000018
【図１７】
2019033237.tif 000019
【図１８】
2019033237.tif 000020
【図１９】
2019033237.tif 000021
【図２０】
2019033237.tif 000022
【図２１】
2019033237.tif 000023
【図２２】
2019033237.tif 000024
【図２３】
2019033237.tif 000025
【図２４】
2019033237.tif 000026
【図２５】
2019033237.tif 000027
【図２６】
2019033237.tif 000028
【図２７】
2019033237.tif 000029
【図２８】
2019033237.tif 000030
【図２９】
2019033237.tif 000031
【図３０】
2019033237.tif 000032
【図３１】
2019033237.tif 000033
【図３２】
2019033237.tif 000034
【図３３】
2019033237.tif 000035
【図３４】
2019033237.tif 000036
【図３５】
2019033237.tif 000037
【図３６】
2019033237.tif 000038